(57)【要約】  少なくとも１つのかみそりブレードを有するかみそりカートリッジを装着するためのかみそりハンドルを提供し、カートリッジは、カートリッジピボット軸の周りにピボット回転可能である。かみそりハンドルは、グリップ部分、カートリッジ装着部分、少なくとも１つの付勢要素、及びロック機構を含む。カートリッジ装着部分は、グリップ部分にピボット的に取り付けられ、かつカートリッジ装着ピボット軸の周りに回転可能である。カートリッジ装着ピボット軸は、カートリッジピボット軸に実質的に平行である。少なくとも１つの付勢要素は、カートリッジ装着部分を通常の第１の位置に付勢する付勢力をカートリッジ装着部分に対して印加するように構成される。ロック機構は、ロック位置及び少なくとも１つの非ロック位置に選択的に配置可能である。【選択図】      図１
2019524365.tif 000002
【特許請求の範囲】
【請求項１】
少なくとも１つのかみそりブレードを有してカートリッジピボット軸（９０）の周りにピボット回転可能であるかみそりカートリッジ（３０）を装着するためのかみそりハンドル（２０）であって、
長手方向に延びる軸線（４６）に沿って延びるグリップ部分（２２）と、
前記グリップ部分にピボット的に取り付けられ、かつ通常の第１の位置と第２の位置の間のカートリッジ装着部分ピボット軸（５３）の周りに回転可能なカートリッジ装着部分（２４）であって、該カートリッジ装着部分ピボット軸が、前記カートリッジピボット軸に実質的に平行である前記カートリッジ装着部分（２４）と、
前記カートリッジ装着部分を前記通常の第１の位置に付勢する付勢力を前記カートリッジ装着部分に対して印加するように構成された少なくとも１つの付勢要素（２６）と、
前記カートリッジ装着部分が前記グリップ部分に対して回転することが防止されるロック位置と該カートリッジ装着部分が該グリップ部分に対して回転することが自由である少なくとも１つの非ロック位置とに選択的に配置可能なロック機構（２８）と、
を含むことを特徴とするかみそりハンドル（２０）。
【請求項２】
ロック機構（２８）が、前記グリップ部分（２２）内に装着されることを特徴とする請求項１に記載のかみそりハンドル。
【請求項３】
前記ロック機構（２８）は、外向きに延びるボタン（７６）がそこから外向きに延びるロック機構本体（６６）を含み、該ボタンは、前記グリップ部分（２２）の外面を通って延びることを特徴とする請求項２に記載のかみそりハンドル。
【請求項４】
前記ロック機構本体（６６）は、前記ロック機構（２８）を前記ロック位置又は前記非ロック位置に選択的に維持する１又は２以上の特徴部を含むことを特徴とする請求項３に記載のかみそりハンドル。
【請求項５】
前記ロック機構本体（６６）は、係合端（７８）を含み、
前記ロック位置では、前記係合端は、前記カートリッジ装着部分と係合され、前記非ロック位置では、該係合端は、該カートリッジ装着部分と係合解除される、
ことを特徴とする請求項４に記載のかみそりハンドル。
【請求項６】
前記１又は２以上の特徴部は、第１の戻り止め（８２、８４）であり、前記グリップ部分（２２）は、前記ロック機構本体（６６）の該第１の戻り止めに対して該ロック機構本体が前記ロック位置と前記非ロック位置の間で移動される時に係合するように構成された少なくとも１つの第２の戻り止め（８６、８８）を含むことを特徴とする請求項４に記載のかみそりハンドル。
【請求項７】
前記ロック機構本体（６６）は、前記戻り止め（８２、８４）の弾性移動を許すように弾性変形可能であることを特徴とする請求項６に記載のかみそりハンドル。
【請求項８】
前記ロック機構本体（６６）は、該ロック機構本体の第１の側（６８）と該ロック機構本体の第２の側（７０）の間で該ロック機構本体を通って延びる空洞（８０）を含み、前記戻り止め（８２、８４）は、該ロック機構本体の横側（７２、７４）に配置されることを特徴とする請求項６又は請求項７に記載のかみそりハンドル。
【請求項９】
前記カートリッジ装着部分（２４）及び前記グリップ部分（２２）は、その間に回転角αを有するように互いに対して向けられ、前記第１の通常の位置と前記第２の位置の間では、該回転角αは、約２０度に等しいか又はそれ未満であることを特徴とする請求項１から請求項８のいずれか１項に記載のかみそりハンドル。
【請求項１０】
前記カートリッジ装着部分（２４）は、かみそりカートリッジ（３０）を解除する及び該かみそりカートリッジを取り付けるように選択的に作動することができるかみそりカートリッジ取り付け機構（６０）を含むことを特徴とする請求項１から請求項９のいずれか１項に記載のかみそりハンドル。
【請求項１１】
前記少なくとも１つの付勢要素（２６）は、前記グリップ部分（２２）に装着されたリーフスプリング（６２）を含み、該リーフスプリングは、前記カートリッジ装着部分（２４）に係合される遠位端（６４）を含むことを特徴とする請求項１から請求項１０のいずれか１項に記載のかみそりハンドル。
【請求項１２】
少なくとも１つのかみそりブレードを有し、カートリッジピボット軸（９０）の周りにピボット回転可能であるかみそりカートリッジ（３０）と、
長手方向に延びる軸線（４６）に沿って延びるグリップ部分（２２）、
前記グリップ部分にピボット的に取り付けられ、かつ通常の第１の位置と第２の位置の間のカートリッジ装着部分ピボット軸（５３）の周りに回転可能なカートリッジ装着部分（２４）であって、該カートリッジ装着部分ピボット軸が、前記カートリッジピボット軸に実質的に平行である前記カートリッジ装着部分（２４）、
前記カートリッジ装着部分を前記通常の第１の位置に付勢する付勢力を前記カートリッジ装着部分に対して印加するように構成された少なくとも１つの付勢要素（２６）、及び
前記カートリッジ装着部分が前記グリップ部分に対して回転することが防止されるロック位置と該カートリッジ装着部分が該グリップ部分に対して回転することが自由である少なくとも１つの非ロック位置とに選択的に配置可能なロック機構（２８）、
を含むハンドル（２０）と、
を含むことを特徴とするかみそり。
【請求項１３】
ロック機構（２８）が、前記グリップ部分（２２）内に装着され、該ロック機構は、該グリップ部分の外面を通って延びる外向きに延びるボタン（７６）を有するロック機構本体（６６）を含むことを特徴とする請求項１２に記載のかみそり。
【請求項１４】
前記ロック機構本体（６６）は、前記ロック機構を前記ロック位置又は前記非ロック位置に選択的に維持する１又は２以上の特徴部を含むことを特徴とする請求項１２又は請求項１３に記載のかみそり。
【請求項１５】
前記ロック機構本体（６６）は、係合端（７８）を含み、
前記ロック位置では、前記係合端（７８）は、前記カートリッジ装着部分（２４）と係合され、前記非ロック位置では、該係合端は、該カートリッジ装着部分と係合解除される、
ことを特徴とする請求項１４に記載のかみそり。
【請求項１６】
前記カートリッジ装着部分（２４）及び前記グリップ部分（２２）は、その間に回転角αを有するように互いに対して向けられ、前記第１の通常の位置と前記第２の位置の間では、該回転角αは、約２０度に等しいか又はそれ未満であることを特徴とする請求項１２から請求項１５のいずれか１項に記載のかみそり。
【請求項１７】
前記カートリッジ装着部分（２４）は、前記かみそりカートリッジ（３０）を解除する及び該かみそりカートリッジを取り付けるように選択的に作動することができるかみそりカートリッジ取り付け機構（６０）を含むことを特徴とする請求項１２から請求項１６のいずれか１項に記載のかみそり。
【請求項１８】
前記かみそりカートリッジ（３０）が静止位置にある時に、該かみそりカートリッジに対する後部−前方に延びるラインが、前記カートリッジ装着部分ピボット軸（５３）及び前記カートリッジピボット軸（９０）を通って延びるラインと角度βを形成し、該角度βは、約３０−３５度の範囲の値を有することを特徴とする請求項１２から請求項１７のいずれか１項に記載のかみそり。
【請求項１９】
前記かみそりカートリッジ（３０）は、約４０−４５度の範囲の角度だけ前記カートリッジ軸（９０）の周りにピボット回転可能であることを特徴とする請求項１２から請求項１８のいずれか１項に記載のかみそり。
【請求項２０】
前記少なくとも１つの付勢要素（２６）は、前記グリップ部分（２２）に装着されたリーフスプリング（６２）を含み、該リーフスプリングは、前記カートリッジ装着部分（２４）に係合される遠位端（６４）を含むことを特徴とする請求項１２から請求項１９のいずれか１項に記載のかみそり。
【発明の詳細な説明】
【技術分野】
【０００１】
本発明は、一般的に髭剃りかみそりに関連し、特に回転可能部分を備えたハンドルを有する髭剃りかみそりに関する。
【背景技術】
【０００２】
多くの従来技術の髭剃りかみそりは、かみそりカートリッジを一方の遠位端に装着した剛性ハンドルを有する。一部の実施形態では、かみそりは、かみそりカートリッジを交換することができず、かみそりカートリッジ部分が受容可能な髭剃りをもはや提供することができない状態でかみそり全体が処分される使い捨てユニットである場合がある。他の実施形態では、かみそりは、ブレードカートリッジ部分が受容可能な髭剃りをもはや提供することができない状態で取り外して交換することができる使い捨てブレードカートリッジを含む場合がある。一部の実施形態では、ブレードカートリッジは、ブレードに実質的に平行であり（すなわち、ブレードエッジ）、かつハンドルの長さに沿って延びる又はその長さに平行である長手方向に延びる軸線に対して実質的に垂直である幅方向に延びる軸線の周りにハンドルに対してそれ自体単独で回転することができる。幅方向の軸線の周りのブレードカートリッジのピボット移動は、皮膚との何らかの程度の適合を可能にし、すなわち、ブレードカートリッジは、髭剃り中にユーザの皮膚の輪郭に従うことが可能にされる。これらのタイプの配置での剛性ハンドルは、ユーザによって印加された法線力をブレードカートリッジに、かつ最終的に髭剃りされている皮膚面に伝達する。髭剃り過程中にユーザが印加する法線力が大きすぎる場合に、ブレードカートリッジ内のブレードは、皮膚面に過度に係合して皮膚炎を生じる場合がある。他方、ユーザが印加する法線力が小さすぎる場合に、かみそりカートリッジ内のブレードは、適度に皮膚面に係合せず、望ましいとは言えない髭剃りをもたらす場合がある。
【先行技術文献】
【特許文献】
【０００３】
【特許文献１】米国特許第７，６５８，００９号明細書
【特許文献２】米国特許第７，５７４，８０９号明細書
【特許文献３】米国特許第６，９３５，０３２号明細書
【特許文献４】米国特許第７，３３１，１０７号明細書
【発明の概要】
【発明が解決しようとする課題】
【０００４】
すなわち、皮膚炎を生じない安全で望ましい髭剃りをもたらす望ましい量の法線力をユーザが印加するのを補助することができるかみそりに対する必要性が存在する。
【課題を解決するための手段】
【０００５】
本発明の開示の態様により、実質的にエッジラインに沿って延びるブレードエッジを備えた少なくとも１つのかみそりブレードを有するかみそりカートリッジを装着するためのかみそりハンドルを提供する。かみそりハンドルは、グリップ部分、カートリッジ装着部分、少なくとも１つの付勢要素、及びロック機構を含む。グリップ部分は、長手方向に延びる軸線に沿って延びる。カートリッジ装着部分は、グリップ部分にピボット的に取り付けられ、かつ通常の第１の位置と第２の位置との間でピボット軸の周りに回転可能である。ピボット軸は、エッジラインに実質的に平行である。少なくとも１つの付勢要素は、カートリッジ装着部分を通常の第１の位置に付勢する付勢力をカートリッジ装着部分に対して印加するように構成される。ロック機構は、カートリッジ装着部分が第１の位置からグリップ部分に対して回転することが防止されるロック位置とカートリッジ装着部分がグリップ部分に対して自由に回転する少なくとも１つの非ロック位置とに選択的に配置可能である。
【０００６】
本発明の開示の別の態様により、かみそりカートリッジと本明細書に説明するようなかみそりハンドルとを含むかみそりを提供する。
【図面の簡単な説明】
【０００７】
【図１】かみそりハンドル実施形態の上面図である。
【図２】図１に示すかみそりハンドル実施形態の側面図である。
【図３】かみそりハンドル実施形態の分解図である。
【図４】ロック位置にあるロック機構を示す図１に示すかみそりハンドル実施形態の底面図である。
【図５】非ロック位置にあるロック機構を示す図１に示すかみそりハンドル実施形態の底面図である。
【図６】ロック機構実施形態の斜視図である。
【図７Ａ】グリップ部分の部分図である。
【図７Ｂ】グリップ部分に配置されたロック機構を含む図７Ａに示すグリップ部分の部分図である。
【図７Ｃ】図７Ｂの拡大部分図である。
【図８】グリップ部分及びカートリッジ装着部分が分離されたかみそりハンドル実施形態の分解部分図である。
【図９】グリップ部分及びカートリッジ装着部分が互いに取り付けられたかみそりハンドル実施形態の分解部分図である。
【図１０】通常位置にあるかみそりカートリッジを示すかみそりハンドル実施形態の側面断面図である。
【図１１】第２の位置にあるかみそりカートリッジを示すかみそりハンドル実施形態の側面断面図である。
【図１２】ロック位置にあるロック機構及び通常の静止位置にあるカートリッジ装着部分を示すかみそりハンドル実施形態の側面断面図である。
【図１３】非ロック位置にあるロック機構及び通常の静止位置にあるカートリッジ装着部分を示すかみそりハンドル実施形態の側面断面図である。
【図１４】非ロック位置にあるロック機構及び第２の位置にあるカートリッジ装着部分を示すかみそりハンドル実施形態の側面断面図である。
【図１５】非ロック位置にあるロック機構及び通常の静止位置にあるカートリッジ装着部分及びかみそりカートリッジの両方、並びに幻影線の回転位置にあるかみそりカートリッジを示すかみそりハンドル実施形態の側面断面図である。
【図１６】かみそりハンドル実施形態の詳細側面図である。
【発明を実施するための形態】
【０００８】
図１〜図５を参照すると、グリップ部分２２、カートリッジ装着部分２４、少なくとも１つの付勢要素２６、及びロック機構２８を有するかみそりハンドル２０が示されている。図１、図２及び図４〜図７は、本発明のかみそりハンドル２０に取り付けられたかみそりカートリッジ３０を示している。カートリッジ装着部分２４は、グリップ部分２２にピボット的に取り付けられる。以下に説明するように、カートリッジ装着部分２４は、それにかみそりカートリッジ３０が取り付けられることを可能にするように構成される。本明細書の説明を容易にするために、かみそりハンドル２０は、上側３２、上側３２の反対側の底側３４、第１の横側３６、及び第２の横側３８を有するとして説明される。第１及び第２の横側３６、３８は、互いの反対側にあり、両方とも上側及び底側３２、３４の間を延びる。かみそりカートリッジ３０は、前面の後部にかつ後面の前方に位置付けられた１又は２以上のかみそりブレードを含む。”後部”及び”前方”という用語は、本明細書に使用する時に、要素の相対位置を示し、例えば、かみそりブレードの”後部”にある要素は、カートリッジがその通常の切断方向に平行移動した時にかみそりブレードの前でユーザの皮膚面上の特定の点に遭遇することになり、かみそりブレードの”前方”にある要素は、カートリッジがその通常の切断方向に平行移動した時にかみそりブレードの後でユーザの皮膚面上の特定の点に遭遇することになる。典型的に、ガードが前面に装着されるか又はそれと一体であり、かみそりカートリッジ３０がユーザの皮膚の上を移動する時に皮膚を延伸させ、これは、切断の準備で毛を実質的に直立に立たせる。キャップも、典型的に後面に装着されるか又はそれと一体である。ガード及びキャップの皮膚係合面とかみそりブレードの刃先とは、髭剃り平面を定めるためにほぼ実質的に位置合わせされる。これにより全てが全体的に引用によって組み込まれる米国特許第７，６５８，００９号明細書、米国特許第７，５７４，８０９号明細書、及び米国特許第６，９３５，０３２号明細書は、髭剃り平面を定めることができる方法の例を提供している。
【０００９】
グリップ部分２２は、様々な異なる構成を取ることができ、従って、いずれの特定の構成にも制限されない。図１〜図５に示すグリップ部分２２の非限定的実施形態は、装着端４０及び遠位端４２を含む。以下でより詳細に説明するように、カートリッジ装着部分２４は、グリップ部分２２の装着端４０にピボット的に取り付けられる。図３の分解図に示す実施形態では、グリップ部分２２は、単一グリップ部分２２を集合的に生成する底部パネル要素４４及び他の要素を含む。要素の一部は、容易に把持することができる人間工学的形状ハンドル２０を生成するように構成される。代替実施形態では、グリップ部分２２は、単一グリップ部分２２形成するより多く又はより少ない（例えば、１つの）要素を含むことができる。ハンドル２０（従って、グリップ部分２２）は、ハンドル２０のグリップ部分２２の横側の間でほぼ中心に位置する長手方向軸線４６に沿って延びると説明することができる（例えば、図１を参照されたい）。
【００１０】
図７Ａをここで参照すると、一部の実施形態では、底部パネル要素４４は、ロックボタンを受け入れるための開口４８、及び以下に説明するようにロック機構２８と協働する１又は２以上の戻り止め特徴部を含むことができる。
【００１１】
上述のように、カートリッジ装着部分２４及びグリップ部分２２は、互いにピボット的に装着される。このピボット装着は、様々な異なる方法を使用して達成することができる。図８及び図９に示す非限定的実施形態では、グリップ部分２２は、互いから離間して装着端４０の近くに位置付けられてピボット心棒５２を受け入れるための開口を各々が有する１対のフランジ５０Ａ、５０Ｂを含む。ピボット心棒５２は、今後カートリッジ装着部分ピボット軸５３と呼ぶピボット軸の周りに回転可能である（図１６も参照されたい）。
【００１２】
カートリッジ装着部分２４は、装着端５４、カートリッジ端５６、少なくとも１つのフランジ５８、及びカートリッジ取り付け機構６０を有する。図８及び図９に示す実施形態では、少なくとも１つのフランジ５８は、グリップ部分２２に取り付けられた１対のフランジ５０Ａ、５０Ｂ間に適合するように構成された単一フランジである。カートリッジ装着フランジ５８は、ピボット心棒５２を受け入れるための開口を有する。従って、組み立てられた構成では、カートリッジ装着部分フランジ５８は、グリップ部分フランジ５０Ａ、５０Ｂ間に配置され、それぞれの開口は、位置合わせされてピボット心棒５２を受け入れる。図８及び図９に示す上述のフランジ及びピボット心棒配置は、非限定的実施形態であり、例えば、フランジの雄及び雌配置は、グリップ部分２２が、カートリッジ装着部分２４に取り付けられた１対のフランジ間に適合する単一フランジを有するように切り換えることができる。
【００１３】
グリップ部分２２及びカートリッジ装着部分２４の装着端４０、５４は、グリップ部分２２とカートリッジ装着部分２４間のピボット運動の量を制限するように構成することができる。図１０〜図１４は、角度”α”までのピボット運動の範囲を示している。本発明の開示は、ピボット運動のいずれの特定の量（すなわち、角度”α”）にも制限されない。ピボット角度”α”の受容可能範囲の例は、１０と２０度の間（１０−２０°）である。好ましい実施形態では、最大回転運動（すなわち、角度”α”）は、約１５度（１５°）である。
【００１４】
グリップ部分２２とカートリッジ装着部分２４間の相対ピボット運動の範囲（すなわち、角度”α”）は、範囲の各端での物理的ストップ、すなわち、ある一定の点を超える相対回転を防止する物理的ストップによって定義することができる。例えば、図１０に示す実施形態では、カートリッジ装着部分２４の少なくとも１つの面は、かみそりハンドル２０がその通常の静止位置に配置された時にグリップ部分２２上の少なくとも１つの面（点”Ａ”で示す）に接触し、それによってグリップ部分２２とカートリッジ装着部分２４間の更なる相対運動（例えば、図１０に示す向きの反時計回り回転）を防止する。同様に、図１１に見ることができるように、かみそりハンドル２０が最大の第２の位置に配置された時に、カートリッジ装着部分２４の少なくとも１つの面は、グリップ部分２２上のそれぞれの面（点”Ｂ”で示す）に接触し、更なる相対回転（例えば、図１１に示す向きの時計回り回転）を物理的に防止する。図１０及び図１１に示す断面図は、以上の説明を容易にするために異なる幅方向位置で取られていることに注意しなければならない。グリップ部分２２とカートリッジ装着部分２４間のピボット配置の利点は、ピボット構造が封入され、かつハンドル２０から出て回転するいずれの特徴部も含まないことである。封入されたピボット配置は、髭剃りデブリによる汚れに強く、かつユーザが彼らの指をグリップ部分２２上のどこに置くかによって妨げられる可能性がない。
【００１５】
上述のように、本発明のハンドルは、グリップ部分２２及びカートリッジ装着部分２４が角度”α”まで相対ピボット移動することができるように構成される（例えば、図１４を参照されたい）。図１５は、ピボット心棒５２のカートリッジ装着部分ピボット軸５３とカートリッジピボット軸９０とに交差するライン”Ｘ”及びかみそりハンドル２０及びかみそりカートリッジ３０が静止している時にかみそりカートリッジ３０の向きを識別するために示されたライン”Ｙ”を示している。例えば、ライン”Ｙ”は、かみそりカートリッジ３０の髭剃り平面に配置することができる。ライン”Ｙ”は、これに代えて、例えば、かみそりカートリッジ３０内の複数のブレードエッジに対してタンジェンシャルであるラインなどで定義することができると考えられる。かみそりハンドル２０及びカートリッジがそれらの通常の位置に静止している時のラインＸ及びＹ間の包含角度は”β”である。本明細書に説明するように、一部の実施形態では、かみそりカートリッジ３０は、カートリッジ装着部分２４に対して、例えば、角度”θ”まで（ラインＹが”Ｙ’”でラベル付けされた場合）回転するように構成される。従って、かみそりカートリッジ３０は、”β”と”θ”間の角度の範囲でラインＸに対して相対的に向けることができる。角度”β”の非限定的な例は、約３０から３５度（３０−３５°）の範囲にあり、角度”θ”の非限定的な例は、約４０から４５度（７０−８０°）の範囲にある。これらの例を使用して、かみそりカートリッジ３０は、約３０から８０度の間の角度（３０−８０°）の範囲でラインＸに対して相対的に向けることができる。カートリッジ装着部分２４がグリップ部分２２に対して”α”の角度だけ回転する機能は、グリップ部分２２に対する（すなわち、カートリッジ装着部分ピボット軸５３の周りの）カートリッジ装着部分２４の回転及びカートリッジ装着部分２４に対する（すなわち、カートリッジピボット軸９０の周りの）かみそりカートリッジ３０の回転が互いに平行であるので、かみそりカートリッジ３０の髭剃り平面の回転範囲を更に増加させる。
【００１６】
図８，図９、及び図１２〜図１４をここで参照すると、少なくとも１つの付勢要素２６が、静止位置でのカートリッジ装着部分２４を付勢し、通常”静止”位置と最大第２位置の間の移動を可能にする。様々な異なる付勢要素２６を使用してカートリッジ装着部分２４をグリップ部分２２に対して付勢することができ、従って、少なくとも１つの付勢要素２６は、いずれの特定の実施形態にも限定されない。受容可能なものの例は、リーフタイプのスプリング６２であり、その一部分は、グリップ部分２２内の定位置に保持される（例えば、タブ又はファスナのような機械的特徴部により、又は他の手段により）。リーフスプリング６２の遠位セクション６４は、カートリッジ装着部分２４の一部分に作用するように位置決めされる。従って、リーフスプリング６２の遠位セクション６４は、カートリッジ装着部分２４が静止位置にある時にカートリッジ装着部分２４に作用する。リーフスプリング付勢力を克服するのに十分な力がかみそりカートリッジ３０（又はカートリッジ装着部分２４）に印加された時に、カートリッジ装着部分２４は、最大第２位置に向う方向に静止位置から離れるように回転することになる。かみそりカートリッジ３０に印加された力が除去された時に、リーフスプリング６２は、静止位置に戻るようにカートリッジ装着部分２４を回転させることになる。好ましい実施形態では、付勢要素２６によって生成された付勢力は、カートリッジ装着部分２４の回転範囲全体を通して実質的に線形である。同じく好ましい実施形態では、付勢力を克服するのに必要なかみそりカートリッジ３０に印加される力の量は、約１と１／２から３ニュートンの範囲（１．５−３．０Ｎ）、最も好ましくは、約２から２と１／２ニュートンの範囲（２．０−２．５Ｎ）である。上記で示したように、上述のリーフスプリング６２配置は、付勢要素２６の非限定的な例である。代替付勢要素は、コイルスプリングなどを含む。
【００１７】
図６、図７Ａ〜図７Ｃ、及び図１２〜図１４をここで参照すると、ロック機構２８は、ロック位置（例えば、図１２を参照されたい）及び非ロック位置（例えば、図１３及び図１４を参照されたい）に選択的に位置決めされるように構成された構造体である。ロック機構２８がロック位置に位置決めされた時に（例えば、図１２を参照されたい）、ロック機構２８の一部分は、カートリッジ装着部分２４に係合してカートリッジ装着部分２４とグリップ部分２２の間の相対ピボット運動を防止する。ロック機構２８が非ロック位置に位置決めされた時に、ロック機構２８は、カートリッジ装着部分２４と係合解除し、その結果、カートリッジ装着部分２４とグリップ部分２２の間の相対ピボット運動を防止せず、すなわち、カートリッジ装着部分２４及びグリップ部分２２は、互いに対して自由に回転する。様々な異なるロック機構２８を使用してカートリッジ装着部分２４とグリップ部分２２の間の相対運動を防止することができ、従って、本発明のかみそりハンドル２０は、いずれの特定のロック機構２８実施形態にも限定されない。ロック機構２８は、ユーザが本発明のかみそりハンドル２０を２つの異なるモード、すなわち、カートリッジ装着部分２４（及び取り付けられたかみそりカートリッジ３０）を剃られている面に対して付勢することができる第１のモードとかみそりハンドル２０が単一の剛性ハンドルである第２のモードとに使用することを可能にする。
【００１８】
例えば、ロック機構２８は、ハンドル２０のグリップ部分２２内に装着され、ロック位置と非ロック位置間で選択的に平行移動可能とすることができる。ロック機構２８とグリップ部分２２とに関連付けられた特徴部は、ロック機構２８をロック位置及び非ロック位置に維持する。そのようなロック機構２８の特定の例は、図６、図７Ａ〜図７Ｃ及び図１２〜図１４に見ることができる。この特定の実施形態では、ロック機構２８は、第１の側６８と、第２の側７０と、第１の横側７２と、第２の横側７４と、第１の側６８から外向きに延びるロックボタン７６と、係合端７８とを有する本体６６を含む（例えば、図６を参照されたい）。ロック機構２８本体は、内部空洞８０（例えば、スロット形状の）、空洞８０に位置合わせされて第１の横側７２から外向きに延びる第１の戻り止め特徴部８２、及び空洞８０に位置合わせされて第２の横側７４から外向きに延びる第２の戻り止め特徴部８４を含む。距離”Ｗ”（例えば、図７Ｃを参照されたい）は、第１及び第２の戻り止め特徴部８２、８４の外面間を延びる。同じくこの特定の実施形態では、グリップ部分２２の底部パネル要素４４は、ロック機構２８と協働する１対の戻り止め特徴部８６、８８を含む。距離”Ｗ２”は、底部パネル要素４４の第１及び第２の戻り止め特徴部８６、８８の外面間を延び、距離Ｗ２は、距離Ｗ１よりも小さい。ユーザがロック機構２８に選択的に係合している（すなわち、非ロック位置からロック位置までロック機構２８を移動している）時に、ユーザは、平行移動力をロックボタン７６に印加し、それによってロック機構２８をカートリッジ装着部分２４に向けて移動する。ロック機構２８がロック位置に向けて平行移動されると、ロック機構２８の戻り止め特徴部８２、８４は、底部パネル要素４４の戻り止め特徴部８６、８８に接触する。更なる平行移動は、ロック機構２８の戻り止め特徴部８２、８４を内向きに弾力的に偏向させ（すなわち、距離”Ｗ”は、Ｗ２に等しいか又はそれ未満になる）、更なる平行移動を可能にする。ロック機構２８の戻り止め特徴部８２、８４が底部パネル要素４４の戻り止め特徴部８６、８８を過ぎた状態で、ロック機構２８の戻り止め特徴部８２、８４は、弾力的に回復し、係合端は、カートリッジ装着部分２４と係合する。この位置では、この８２、８４、８６、８８は、互いに干渉するように位置合わされる。ロックボタン７６に印加されている戻り平行移動力がないと、特徴部８２、８４、８６、８８は、カートリッジ装着部分２４から離れるロック機構２８の平行移動を防止することになる。従って、係合端７８は、カートリッジ装着部分２４と係合したままに維持される。
【００１９】
ロック機構２８を非ロック位置に選択的に戻すために、ユーザは、ロック機構２８を逆方向に平行移動し、すなわち、ロック機構２８の戻り止め特徴部８２、８４は、底部パネル要素４４の戻り止め特徴部８６、８８を超えて押される（それらが過ぎる時に弾力的に偏向する）。ロック機構２８の戻り止め特徴部８２、８４が底部パネル要素４４の戻り止め特徴部８６、８８を過ぎた状態で、ロック機構２８の戻り止め特徴部８２、８４は、弾力的に回復する。この位置では、戻り止め特徴部８２、８４、８６、８８は、互いに干渉するように位置合わせされ、カートリッジ装着部分２４に向けたロック機構２８の平行移動を防止することになる。従って、係合端は、カートリッジ装着部分２４と係合解除したままに維持される。
【００２０】
上記に示したように、本発明の開示は、上述の特定のロック機構２８実施形態に限定されない。例えば、上述の特定の実施形態は、ロック機構２８及び底部パネル要素４４の両方のための戻り止め特徴部の対を含む。代替実施形態では、ロック機構２８及び底部パネル要素４４の各々は、より少ない又はより多い戻り止め特徴部を有することができる。更に、上述の戻り止め特徴部以外の機械的特徴部（例えば、嵌合雄雌特徴部、磁気特徴部など）を使用することもできる。代替実施形態では、ロック機構２８以外の要素が、平行移動を可能にするために弾力的に偏向することができ（例えば、グリップ部分２２の一部分が、弾力的に偏向することができ）、又は１よりも多い要素が、平行移動を許すために偏向することができる。代替特徴部では、ロック機構２８は、ロック及び非ロック位置だけよりも多い位置に維持されるように構成することができ、すなわち、カートリッジ装着部分２４は、２よりも多い位置に選択的に位置決め可能である場合がある。
【００２１】
本発明のかみそりハンドル２０は、かみそりカートリッジ３０が、交換されるように意図しない方式でカートリッジ装着部分２４に取り付けられ、かつかみそり全体が、かみそりカートリッジ部分が受容可能な髭剃りをもはや提供することができない状態で処分される使い捨てユニットとして構成することができる。他の実施形態では、本発明のかみそりハンドル２０は、かみそりカートリッジ３０が受容可能な髭剃りをもはや提供することができない状態で取り外して交換することができる交換可能なかみそりカートリッジ３０と共に使用するように構成することができる。
【００２２】
一部の実施形態では、カートリッジ装着部分２４は、かみそりカートリッジ３０が、かみそりカートリッジ３０のブレードエッジに実質的に平行である幅方向に延びるカートリッジピボット軸９０（例えば、図１５及び１６を参照されたい）の周りにピボット回転することを可能にするように構成することができる。幅方向カートリッジピボット軸の周りのかみそりカートリッジ３０のピボット移動は、皮膚とのある程度の適合を可能にする。これらの実施形態では、カートリッジピボット軸９０は、本発明のハンドル２０のグリップ部分２２及びカートリッジ装着部分２４を接続するピボット心棒５２のカートリッジ装着部分ピボット軸５３に実質的に平行であり、カートリッジピボット軸９０及びカートリッジ装着部分ピボット軸５３の両方は、ハンドル２０の長手軸線４６に実質的に垂直である。従って、これらの実施形態は、本発明のハンドル２０に２つのピボット軸を与え、その一方は、ロック機構２８を非ロック位置に配置することによって選択的に利用することができ、又はロック機構２８を非ロック位置に配置することによって利用しないことが可能である。
【００２３】
図１〜図５に示す実施形態は、交換可能かみそりカートリッジ３０とハンドル２０のカートリッジ装着部分２４に対してピボット回転可能であるかみそりカートリッジ３０とを利用するように構成される。図３の分解図に見ることができるように（図８及び図９も参照されたい）、カートリッジ装着部分２４は、かみそりカートリッジ３０を解除して取り付けられたかみそりカートリッジ３０がカートリッジ装着部分２４に対してピボット回転することを可能にするように選択的に作動することができる取り付け機構６０を含む。本発明の開示は、かみそりカートリッジ３０を解除する／取り付けるためのいずれの特定の機構にも又はかみそりカートリッジ３０をピボット的に取り付けるためのいずれの特定の機構にも限定されない。これにより全体が引用によって組み込まれる米国特許第７，３３１，１０７号明細書は、本発明のかみそりハンドル２０と共に使用することができる受容可能なかみそりカートリッジピボット装着配置の例を開示している。例えば、本発明のカートリッジ装着部分２４は、１対の弓形タブ９２Ａ、９２Ｂを含むカートリッジ取り付け機構６０を含むことができる。弓形タブ９２Ａ、９２Ｂは、通常位置に外向きに付勢される。通常位置ではかつかみそりカートリッジ３０がカートリッジ装着部分２４上に装着された時に、タブ９２Ａ、９２Ｂの各々は、かみそりカートリッジ３０に配置されたそれぞれの嵌合特徴部（例えば、スロット、図示せず）内に受け入れられる。かみそりカートリッジ３０が回転された時に、タブ９２Ａ、９２Ｂは、スロット内で摺動する。取り付け機構６０に係合されたボタン９４は、通常位置で付勢され、かつ平行移動されて取り付け機構６０にタブ９２、９２Ｂをタブがスロットと係合しない位置まで内向きに移動させることができる。タブ９２Ａ、９２Ｂがスロットから自由になった状態で、かみそりカートリッジ３０を取り外すことができる。逆の過程が、新しいかみそりカートリッジ３０を取り付けるのに使用される。取り付け機構は、かみそりカートリッジ３０上のカム面に対して作用する付勢式カム９６を更に含む。カム９６は、かみそりカートリッジ３０を通常位置内に付勢し、かつかみそりカートリッジ３０の回転を引き起こすのに十分な力がかみそりカートリッジ３０に印加された時に通常位置から変位させることができる。上記で言及したように、上述のかみそりカートリッジ取り付け機構６０は、ピボット軸の周りのかみそりカートリッジ３０のピボット回転を達成するのに、かつかみそりカートリッジ３０の取り付け及び解除を可能にするのに使用することができる配置の非限定的な例である。
【００２４】
当業者によって認識されるように、添付の特許請求の範囲に列挙されているような本発明の範囲から逸脱することなく本発明の上述の実施形態に対して多くの修正及び置換を行うことができる。従って、本明細書の前出部分は、制限的な意味とは逆に例示的に捉えられるものとする。
【符号の説明】
【００２５】
２０  かみそりハンドル
２２  グリップ部分
２４  カートリッジ装着部分
３０  かみそりカートリッジ
３６  第１の横側
【図１】
2019524365.tif 000003
【図２】
2019524365.tif 000004
【図３】
2019524365.tif 000005
【図４】
2019524365.tif 000006
【図５】
2019524365.tif 000007
【図６】
2019524365.tif 000008
【図７Ａ】
2019524365.tif 000009
【図７Ｂ】
2019524365.tif 000010
【図７Ｃ】
2019524365.tif 000011
【図８】
2019524365.tif 000012
【図９】
2019524365.tif 000013
【図１０】
2019524365.tif 000014
【図１１】
2019524365.tif 000015
【図１２】
2019524365.tif 000016
【図１３】
2019524365.tif 000017
【図１４】
2019524365.tif 000018
【図１５】
2019524365.tif 000019
【図１６】
2019524365.tif 000020
【国際調査報告】
2019524365.tif 000021
2019524365.tif 000022